(57)【要約】  制御部（１０１）は、各々が複数の吹出口のうちのいずれかの吹出口に接続されている複数の空気調和機の各々の運転状態を制御する。状態取得部（１０２）は、複数の吹出口の各々の状態を取得する。判定部（１０３）は、複数の空気調和機の各々の運転状態と複数の吹出口の各々の状態とを解析して、接続関係にある空気調和機と吹出口とを判定する。
2020240692.tif 000002
【特許請求の範囲】
【請求項１】
各々が複数の吹出口のうちのいずれかの吹出口に接続されている複数の空気調和機の各々の運転状態を制御する制御部と、
前記複数の吹出口の各々の状態を取得する状態取得部と、
前記複数の空気調和機の各々の運転状態と前記複数の吹出口の各々の状態とを解析して、接続関係にある空気調和機と吹出口とを判定する判定部とを有する制御装置。
【請求項２】
前記制御部は、
前記複数の空気調和機のうちの１つの空気調和機の運転状態と、前記複数の空気調和機のうちの他の空気調和機の運転状態とを相違させる請求項１に記載の制御装置。
【請求項３】
前記制御部は、
前記複数の空気調和機のうちの１つの空気調和機の運転状態を稼動状態にし、前記複数の空気調和機のうちの他の空気調和機の運転状態を停止状態にする請求項２に記載の制御装置。
【請求項４】
前記制御部は、
前記複数の空気調和機のうちの１つの空気調和機の運転状態を停止状態にし、前記複数の空気調和機のうちの他の空気調和機の運転状態を稼動状態にする請求項２に記載の制御装置。
【請求項５】
前記状態取得部は、
前記複数の吹出口の各々の状態として、前記複数の吹出口の各々の温度を取得する請求項１に記載の制御装置。
【請求項６】
前記判定部は、
前記状態取得部により取得された前記複数の吹出口の各々の間の温度と想定温度との比較、及び前記状態取得部により取得された前記複数の吹出口の各々の温度と前記複数の吹出口の周囲の温度との比較のいずれかを行って、接続関係にある空気調和機と吹出口とを判定する請求項５に記載の制御装置。
【請求項７】
前記制御部は、
前記複数の空気調和機のうちの１つの空気調和機の運転状態を切り替え、
前記判定部は、
前記制御部が前記複数の空気調和機のうちの１つの空気調和機の運転状態を切り替える前の前記複数の吹出口の各々の温度と、前記制御部が前記複数の空気調和機のうちの１つの空気調和機の運転状態を切り替えた後の前記複数の吹出口の各々の温度とを比較して、接続関係にある空気調和機と吹出口とを判定する請求項５に記載の制御装置。
【請求項８】
前記制御部は、
接続関係にある吹出口の空気流の吹出先のエリアに空気調和の客体が存在しない空気調和機の運転状態を停止状態にする請求項１に記載の制御装置。
【請求項９】
前記制御装置は、更に、
空気調和機ごとに、接続関係にある吹出口の空気流の吹出先のエリアを設定するエリア設定部を有する請求項１に記載の制御装置。
【請求項１０】
前記エリア設定部は、
吹出口ごとに、前記複数の吹出口が配置される空間に配置される複数の温度計測装置の各々との距離を算出し、算出結果に基づき、空気調和機ごとに、接続関係にある吹出口の空気流の吹出先のエリアを設定する請求項９に記載の制御装置。
【請求項１１】
前記制御装置は、更に、
空気調和機と吹出口との接続関係を通知する通知メッセージを出力する出力部を有する請求項１に記載の制御装置。
【請求項１２】
コンピュータが、各々が複数の吹出口のうちのいずれかの吹出口に接続されている複数の空気調和機の各々の運転状態を制御し、
前記コンピュータが、前記複数の吹出口の各々の状態を取得し、
前記コンピュータが、前記複数の空気調和機の各々の運転状態と前記複数の吹出口の各々の状態とを解析して、接続関係にある空気調和機と吹出口とを判定する制御方法。
【発明の詳細な説明】
【技術分野】
【０００１】
本発明は、空気調和システムに関する。
【背景技術】
【０００２】
特許文献１では、空気調和機からのダクトが分岐し、分岐先ごとに吹出口が設けられる空気調和システムが開示されている。
【先行技術文献】
【特許文献】
【０００３】
【特許文献１】国際公開第２０１６／０７９８２５号パンフレット
【発明の概要】
【発明が解決しようとする課題】
【０００４】
特許文献１に開示されるような、ダクトが分岐し、分岐先ごとに吹出口が設けられる空気調和機が複数存在する場合は、複数の空気調和機と複数の吹出口とを対応付ける必要がある。つまり、いずれの空気調和機にいずれの吹出口が接続されているかを対応付ける必要がある。
従来は、複数の空気調和機と複数の吹出口とが存在する空気調和システムでは、空気調和システムの設置工事等において、人手により複数の空気調和機と複数の吹出口とを対応付けることが必要であった。このため、空気調和機と吹出口との対応付けに多くの労力と時間が必要であるという課題がある。【０００５】
本発明は、このような課題を解決することを主な目的の一つとしている。より具体的には、本発明は、空気調和機と吹出口との対応付けの効率化を図ることを主な目的とする。
【課題を解決するための手段】
【０００６】
本発明に係る制御装置は、
各々が複数の吹出口のうちのいずれかの吹出口に接続されている複数の空気調和機の各々の運転状態を制御する制御部と、
前記複数の吹出口の各々の状態を取得する状態取得部と、
前記複数の空気調和機の各々の運転状態と前記複数の吹出口の各々の状態とを解析して、接続関係にある空気調和機と吹出口とを判定する判定部とを有する。
【発明の効果】
【０００７】
本発明によれば、空気調和機と吹出口との対応付けの効率化を図ることができる。
【図面の簡単な説明】
【０００８】
【図１】実施の形態１に係る空気調和システムの概略を示す図。
【図２】実施の形態１に係る空気調和システムの概略を示す図。
【図３】実施の形態１に係る制御装置のハードウェア構成例を示す図。
【図４】実施の形態１に係る制御装置の機能構成例を示す図。
【図５】実施の形態１に係る制御装置の動作例を示すフローチャート。
【図６】実施の形態１に係る外気処理ユニットの運転状態の例を示す図。
【図７】実施の形態１に係る温度検知結果例を示す図。
【図８】実施の形態１に係る通知メッセージの例を示す図。
【図９】実施の形態１に係る通知メッセージの例を示す図。
【図１０】実施の形態３に係る制御装置の機能構成例を示す図。
【図１１】実施の形態３に係るエリア設定処理の例を示す図。
【図１２】実施の形態３に係るエリアの例を示す図。
【図１３】実施の形態４に係る吹出口と温度計測装置の配置例を示す図。
【図１４】実施の形態４に係るエリア設定例を示す図。
【図１５】実施の形態４に係るエリア設定例を示す図。
【発明を実施するための形態】
【０００９】
以下、本発明の実施の形態について、図を用いて説明する。以下の実施の形態の説明及び図面において、同一の符号を付したものは、同一の部分又は相当する部分を示す。
【００１０】
実施の形態１．
＊＊＊構成の説明＊＊＊
図１及び図２は、本実施の形態に係る空気調和システムの概略を示す。
図１は、室内空間２００の側面方向から見た空気調和システムを表している。図２は、室内空間２００の天井方向から見た空気調和システムを表している。室内空間２００は、空気調和の対象となる空間である。
本実施の形態に係る空気調和システムは、外気処理ユニット１ａ及び外気処理ユニット１ｂと制御装置１００とで構成される。外気処理ユニット１ａ及び外気処理ユニット１ｂは、空気調和機の例である。外気処理ユニット１ａと外気処理ユニット１ｂを区別する必要がない場合は、外気処理ユニット１ａと外気処理ユニット１ｂをまとめて外気処理ユニット１と表記する。
【００１１】
外気処理ユニット１ａは、ダクト４ａにより室内空間２００と接続されている。外気処理ユニット１ｂは、ダクト４ｂにより室内空間２００と接続されている。
ダクト４ａ及びダクト４ｂは、それぞれ、分岐している。分岐先には、吹出口２が設けられている。各吹出口２からは、外気処理ユニット１ａ又は外気処理ユニット１ｂからの空気流が吹き出される。
図１及び図２の構成では、ダクト４ａの分岐先に吹出口２ａ、吹出口２ｂ及び吹出口２ｃが設けられている。また、ダクト４ｂの分岐先に吹出口２ｄ、吹出口２ｅ及び吹出口２ｆが設けられている。なお、ダクト４ａ及びダクト４ｂを区別する必要がない場合は、ダクト４ａとダクト４ｂをまとめてダクト４と表記する。また、吹出口２ａ、吹出口２ｂ、吹出口２ｃ、吹出口２ｄ、吹出口２ｅ及び吹出口２ｆを区別する必要がない場合は、これらをまとめて吹出口２と表記する。
外気処理ユニット１は、熱交換器を有している。外気処理ユニット１は、熱交換器によって冷却又は加熱された空気流を、吹出口２から吹き出す。
外気処理ユニット１は、吹出口２ごとに個別に空気流の吹出しのオン／オフを制御できる機能を有していてもよい。
【００１２】
また、外気処理ユニット１はダクト６により室内空間２００と接続されている。ダクト６には吸込口３が設けられている。外気処理ユニット１は吸込口３により室内空気の取り込みを行う。図２では、作図上の理由から、ダクト６及び吸込口３の図示は省略している。
また、図１では、作図上の理由から、外気処理ユニット１ｂ、ダクト４ｂ、吹出口２ｄ、吹出口２ｅ及び吹出口２ｆの図示は省略している。
【００１３】
また、室内空間２００には、温度計測装置５が設けられている。
温度計測装置５は、各吹出口２の表面温度を計測する。なお、温度計測装置５は、各吹出口２の表面温度に代えて各吹出口２の吹出空気の温度（吹出空気温度）を計測してもよい。吹出空気とは各吹出口２から吹き出される空気流である。以下では、温度計測装置５が各吹出口２の表面温度を計測する例を説明する。なお、表面温度は、単に温度ともいう。
温度計測装置５は、例えば、赤外線センサである。
温度計測装置５は、各吹出口２の温度以外に、室内空間２００に所在する人の数（在室人数）を計数してもよい。また、温度計測装置５は、室内空間２００内の人の位置を検知してもいい。在室人数の計数又は人の位置の検知が主目的のセンサを温度計測装置５として用いてもよい。
【００１４】
制御装置１００は、空気調和機の運転を制御する。つまり、制御装置１００は、各外気処理ユニット１の運転を制御する。
制御装置１００により行われる動作手順は制御方法に相当する。
【００１５】
図１及び図２では、外気処理ユニット１ａ及び外気処理ユニット１ｂの各々に複数の吹出口２が接続されている。これに代えて、外気処理ユニット１ａに１つの吹出口２のみが接続されていてもよい。同様に、外気処理ユニット１ｂに１つの吹出口２のみが接続されていてもよい。
つまり、本実施の形態では、ｍ（ｍ≧２）台の外気処理ユニット１が存在し、ｍ台の外気処理ユニット１がｎ（ｎ≧ｍ）個の吹出口２に接続されている。
【００１６】
図３は、本実施の形態に係る制御装置１００の構成例を示す。
【００１７】
本実施の形態に係る制御装置１００は、コンピュータである。
制御装置１００は、ハードウェアとして、プロセッサ９０１、主記憶装置９０２、補助記憶装置９０３及び通信装置９０４を備える。
また、制御装置１００は、機能構成として、図４に示す制御部１０１、状態取得部１０２、判定部１０３及び出力部１０４を備える。
補助記憶装置９０３には、制御部１０１、状態取得部１０２、判定部１０３及び出力部１０４の機能を実現するプログラムが記憶されている。
これらプログラムは、補助記憶装置９０３から主記憶装置９０２にロードされる。そして、プロセッサ９０１がこれらプログラムを実行して、後述する制御部１０１、状態取得部１０２、判定部１０３及び出力部１０４の動作を行う。
図３では、プロセッサ９０１が制御部１０１、状態取得部１０２、判定部１０３及び出力部１０４の機能を実現するプログラムを実行している状態を模式的に表している。
【００１８】
図４は、制御装置１００の機能構成例を示す。
【００１９】
制御部１０１は、外気処理ユニット１ａと外気処理ユニット１ｂの運転状態を制御する。運転状態には、稼動状態と停止状態とが含まれる。稼動状態とは、空気調和機が動作している状態である。一方、停止状態とは、空気調和機が動作していない状態である。また、稼動状態には、冷房運転状態（以下では、単に冷房運転という）と暖房運転状態（以下では、単に暖房運転という）とが含まれる。
制御部１０１は、外気処理ユニット１ａと外気処理ユニット１ｂの運転状態を相違させる。例えば、制御部１０１は、外気処理ユニット１ａを稼動状態にし、外気処理ユニット１ｂを停止状態にする。逆に、制御部１０１は、外気処理ユニット１ａを停止状態にし、外気処理ユニット１ｂを稼動状態にしてもよい。
なお、空気調和システムに、３つ以上の外気処理ユニット１が存在する場合は、制御部１０１は、１つの外気処理ユニット１の運転状態と他の外気処理ユニット１の運転状態とを相違させる。
【００２０】
状態取得部１０２は、各吹出口２の状態を取得する。
本実施の形態では、状態取得部１０２は、各吹出口２の状態として、温度計測装置５により計測された各吹出口２の温度を取得する。
【００２１】
判定部１０３は、外気処理ユニット１ａの運転状態と外気処理ユニット１ｂの運転状態と、状態取得部１０２により取得された各吹出口２の状態とを解析して、接続関係にある外気処理ユニット１と吹出口２とを判定する。
例えば、外気処理ユニット１ａを稼動状態にし、外気処理ユニット１ｂを停止状態にする場合を想定する。また、外気処理ユニット１ａは稼動状態として、冷房運転をするものとする。
外気処理ユニット１ａが冷房運転を行い、外気処理ユニット１ｂが冷房運転を行っていない場合は、外気処理ユニット１ａと接続されている吹出口２の温度は、外気処理ユニット１ｂと接続されている吹出口２の温度よりも低くなる。
このように、外気処理ユニット１ａの運転状態と外気処理ユニット１ｂの運転状態とが相違する状況での各吹出口２の温度を解析することで、判定部１０３は、外気処理ユニット１ａと接続されている吹出口２と外気処理ユニット１ｂと接続されている吹出口２とを識別することができる。
【００２２】
出力部１０４は、判定部１０３により判定された外気処理ユニット１と吹出口２との接続関係を通知する通知メッセージを出力する。
図２の例では、出力部１０４は、外気処理ユニット１ａに吹出口２ａ、吹出口２ｂ及び吹出口２ｃが接続され、外気処理ユニット１ｂに吹出口２ｄ、吹出口２ｅ及び吹出口２ｆが接続されていることを通知する通知メッセージを出力する。
【００２３】
＊＊＊動作の説明＊＊＊
次に、本実施の形態に係る制御装置１００の動作例を図５を参照して説明する。
【００２４】
先ず、ステップＳＴ１において、制御部１０１は、全ての外気処理ユニット１の動作を停止させる。
具体的には、制御部１０１は、全ての外気処理ユニット１に、動作の停止を指示するコマンドを送信する。
【００２５】
一定時間が経過した後、ステップＳＴ２において、制御部１０１は、複数の外気処理ユニット１のうち１台の外気処理ユニット１のみを起動する。具体的には、制御部１０１は、起動対象の外気処理ユニット１に動作の開始を指示するコマンドを送信する。
なお、制御部１０１は、他の外気処理ユニット１は停止状態のままにしておく。
例えば、外気処理ユニット１が３台存在する場合は、制御部１０１は、１台の外気処理ユニット１のみを起動し、残りの２台の外気処理ユニット１は停止状態のままにしておく。
【００２６】
次に、ステップＳＴ３において、判定部１０３が、ステップＳＴ２で起動した外気処理ユニット１に接続する吹出口２を識別する。
具体的には、状態取得部１０２が、温度計測装置５から各吹出口２の温度の計測結果を受信する。そして、判定部１０３が、各吹出口２の温度の計測結果と各外気処理ユニット１の運転状態とを解析して、ステップＳＴ２で起動した外気処理ユニット１に接続する吹出口２を識別する。
また、判定部１０３は、識別結果を、例えば主記憶装置９０２又は補助記憶装置９０３に格納する。
【００２７】
次に、ステップＳＴ４において、制御部１０１が、ステップＳＴ２で起動した外気処理ユニット１を停止させる。
【００２８】
次に、ステップＳＴ５において、判定部１０３が、全ての外気処理ユニット１について吹出口２との対応付けが完了したか否かを判定する。
全ての外気処理ユニット１について吹出口２との対応付けが完了している場合（ステップＳＴ５でＹＥＳ）は、処理が終了する。
一方、吹出口２との対応付けが完了していない外気処理ユニット１がある場合（ステップＳＴ５でＮＯ）は、処理がステップＳＴ２に戻り、一定時間の経過後に、制御部１０１が、吹出口２との対応付けが完了していない外気処理ユニット１を起動する。
【００２９】
図５の処理手順を具体例を用いて説明する。
ここでは、図１及び図２に示す、外気処理ユニット１ａと外気処理ユニット１ｂとが設置されている例を用いて説明を行う。
【００３０】
先ず、ステップＳＴ１において、制御部１０１は、外気処理ユニット１ａ及び外気処理ユニット１ｂの動作を停止させる。
外気処理ユニット１ａ及び外気処理ユニット１ｂの動作を一定時間停止させることにより、各吹出口２の温度が、周囲の天井面の温度とおおよそ均一になる。
【００３１】
一定時間が経過した後、ステップＳＴ２において、制御部１０１は、外気処理ユニット１ａ及び外気処理ユニット１ｂのうちの１台のみを起動する。ここでは、図６に示すように、制御部１０１は、外気処理ユニット１ａを起動し、外気処理ユニット１ｂは停止状態のままにしておく。また、制御部１０１は、冷房運転をするものとする。
【００３２】
次に、ステップＳＴ３において、判定部１０３が、ステップＳＴ２で起動した外気処理ユニット１に接続する吹出口２を識別する。
具体的には、状態取得部１０２が、温度計測装置５から各吹出口２の温度の計測結果を受信する。
本例では、外気処理ユニット１ａと接続されている吹出口２ａ、吹出口２ｂ及び吹出口２ｃの表面温度が低下している。
図７は、温度計測装置５が図６に示す矢印方向で室内空間２００を観測した状態を示す。図６において、吹出口２ａ、吹出口２ｂ及び吹出口２ｃの枠線が太く表現され、図７において、吹出口２ａの枠線が太く表現されているのは、吹出口２ａ、吹出口２ｂ及び吹出口２ｃの温度が他の部分よりも低いことを表している。
判定部１０３は、温度計測装置５の計測結果により、吹出口２ａ、吹出口２ｂ及び吹出口２ｃの表面温度が他の部分よりも低いことを認識する。この結果、判定部１０３は、吹出口２ａ、吹出口２ｂ及び吹出口２ｃが外気処理ユニット１ａと接続していることを認識する。
判定部１０３は、例えば、冷房運転によって冷やされた場合の吹出口２の温度を想定温度として算出しておく。そして、判定部１０３は、温度計測装置５により計測された各吹出口２の温度と想定温度とを比較し、想定温度と同等の温度が計測された吹出口２が外気処理ユニット１ａと接続していると認識する。また、判定部１０３は、温度計測装置５により計測された各吹出口２の温度と周囲の天井面温度とを比較し、天井面温度に対して閾値以上の温度の低下が検出された吹出口２が外気処理ユニット１ａと接続していると認識してもよい。
【００３３】
次に、ステップＳＴ４において、制御部１０１が、ステップＳＴ２で起動した外気処理ユニット１ａを停止させる。
【００３４】
次に、外気処理ユニット１ａと吹出口２ａ、吹出口２ｂ及び吹出口２ｃとの対応付けにより、外気処理ユニット１ｂが、吹出口２ｄ、吹出口２ｅ及び吹出口２ｆと接続されていることが判明したため、ステップＳＴ５はＮＯと判定され、処理が終了する。
【００３５】
出力部１０４は、外気処理ユニット１と吹出口２との対応付けを示す通知メッセージを出力する。例えば、出力部１０４は、図８に示すように、表形式の通知メッセージを出力する。また、出力部１０４は、図９に示すように、見取り図形式の通知メッセージを出力してもよい。
【００３６】
＊＊＊実施の形態の効果の説明＊＊＊
本実施の形態によれば、空気調和機と吹出口との対応付けの効率化を図ることができる。つまり、本実施の形態によれば、設置工事時に、作業者が設計図等を参照して空気調和機と吹出口との対応関係を入力する手間を省くことができる。
【００３７】
なお、本実施の形態では、制御装置１００が外気処理ユニット１ａと外気処理ユニット１ｂを停止させた後に、外気処理ユニット１ａ又は外気処理ユニット１ｂの１台のみを動作させる例を説明した。これに代えて、制御装置１００が外気処理ユニット１ａと外気処理ユニット１ｂが動作している状況で外気処理ユニット１ａ又は外気処理ユニット１ｂの１台のみを停止させ、規定時間の経過後の吹出口の温度変化を検知して、外気処理ユニット１と吹出口２との対応関係を特定してもよい。
【００３８】
また、本実施の形態では、外気処理ユニット１の冷房運転により吹出口２の温度低下を検知する例を説明した。これに代えて、外気処理ユニット１の暖房運転による吹出口２の温度上昇を検知するようにしてもよい。
【００３９】
また、本実施の形態では、制御装置１００が吹出口２の温度を取得して外気処理ユニット１と吹出口２との対応関係を特定する例を説明した。制御装置１００は、温度の取得に代えて吹出口２からの吹出空気の有無を取得するようにしてもよい。つまり、制御装置１００は、外気処理ユニット１ａ又は外気処理ユニット１ｂの１台のみを動作させ、センサを用いて吹出口２ごとに空気流の吹き出し有無を取得し、空気流が吹き出している吹出口２と稼動状態の外気処理ユニット１とを対応付けるようにしてもよい。
【００４０】
また、本実施の形態では、空気調和機の例として外気処理ユニット１を説明した。これに代えて、内調システムを用いてもよい。内調システムは、室内空間２００の空気を吸込み、吸い込んだ空気を熱交換器により温度調節した後、温度調節後の空気を室内空間２００に吹き出すシステムである。
【００４１】
実施の形態２．
本実施の形態では、主に実施の形態１との差異を説明する。
なお、以下で説明していない事項は、実施の形態１と同様である。
【００４２】
＊＊＊構成の説明＊＊＊
本実施の形態に係る空気調和システムは、図１及び図２に示したものと同じであるため、説明を省略する。
また、本実施の形態に係る制御装置１００のハードウェア構成例は図３に示したものと同じであるため、説明を省略する。また、本実施の形態に係る制御装置１００の機能構成例は図４に示したものと同じであるため、説明を省略する。
【００４３】
＊＊＊動作の説明＊＊＊
本実施の形態では、制御部１０１は、複数の空気調和機のうちの１つの空気調和機の運転状態を切り替える。つまり、外気処理ユニット１ａ及び外気処理ユニット１ｂのうちのいずれかの運転状態を切り替える。
また、本実施の形態では、判定部１０３は、制御部１０１が複数の外気処理ユニット１のうちの１つの外気処理ユニット１の運転状態を切り替える前の複数の吹出口２の各々の温度と、制御部１０３が複数の外気処理ユニット１のうちの１つの外気処理ユニット１の運転状態を切り替えた後の複数の吹出口２の各々の温度とを比較して、接続関係にある外気処理ユニット１と吹出口２とを判定する。
【００４４】
例えば、制御部１０１は、外気処理ユニット１ａを一定時間停止させる。
なお、温度計測装置５は、外気処理ユニット１ａが停止している間に各吹出口２の温度を計測し、状態取得部１０２が温度計測装置５により計測された各吹出口２の温度を受信し、主記憶装置９０２又は補助記憶装置９０３に各吹出口２の温度を格納する。
【００４５】
次に、制御部１０１は、外気処理ユニット１ａを稼動させる（外気処理ユニット１ａの運転状態を稼動状態にする）。ここでは、制御部１０１は、外気処理ユニット１ａに冷房運転を行わせる。
なお、制御部１０１は、外気処理ユニット１ｂの運転状態は維持させる。つまり、外気処理ユニット１ｂが停止状態であれば、制御部１０１は外気処理ユニット１ｂの停止状態を維持させる。一方、外気処理ユニット１ｂが稼動状態（冷房運転）であれば、制御部１０１は外気処理ユニット１ｂの稼動状態を維持させる。
【００４６】
外気処理ユニット１ａが稼動して一定時間が経過した後に、温度計測装置５が各吹出口２の温度を計測する。状態取得部１０２は、温度計測装置５により計測された各吹出口２の温度を取得する。
【００４７】
次に、判定部１０３は、主記憶装置９０２又は補助記憶装置９０３に格納されている、外気処理ユニット１ａが停止中に計測された各吹出口２の温度と、外気処理ユニット１ａが稼動中に計測された各吹出口２の温度とを比較する。
そして、判定部１０３は、温度が大きく変化した吹出口２を抽出する。本例では、吹出口２ａ、吹出口２ｂ及び吹出口２ｃにおいて、温度が大きく低下している。判定部１０３は、温度が大きく変化した吹出口２ａ、吹出口２ｂ及び吹出口２ｃが外気処理ユニット１ａに接続していると判定する。
【００４８】
外気処理ユニット１ａに接続する吹出口２が判明したので、外気処理ユニット１ｂに接続する吹出口２は、吹出口２ｄ、吹出口２ｅ及び吹出口２ｆと判明する。
【００４９】
例えば、室内空間２００に外気処理ユニット１ａ、外気処理ユニット１ｂ及び外気処理ユニット１ｃの３台の外気処理ユニット１が存在する場合は、制御装置１００は同様の手順を外気処理ユニット１ｂに対して行い、外気処理ユニット１ｂに接続する吹出口２を識別する。この結果、外気処理ユニット１ｃに接続している吹出口２も判明する。
【００５０】
＊＊＊実施の形態の効果の説明＊＊＊
本実施の形態では、３台以上の外気処理ユニット１が存在する場合に、外気処理ユニット１ａに接続する吹出口２を識別した後、外気処理ユニット１ａに接続する吹出口２の温度上昇を待つことなく、外気処理ユニット１ｂに接続する吹出口２を検知するための手順を開始することができる。
つまり、本実施の形態によれば、実施の形態１の効果に加え、外気処理ユニット１と吹出口２との対応付けに要する時間を短縮することができる。
【００５１】
また、本実施の形態では、吹出口２の検知対象ではない外気処理ユニット１を運転させ続けることが可能である。このため、外気処理ユニット１を停止させることが許容されない環境下でも、外気処理ユニット１と吹出口２の接続関係を認識することができる。
【００５２】
以上では、外気処理ユニット１ａを停止させた後、外気処理ユニット１ａを稼動させて、外気処理ユニット１ａの停止中の各吹出口２の温度と外気処理ユニット１ａの稼働後の各吹出口２の温度の変化を解析する例を説明した。これに代えて、外気処理ユニット１ａを停止した際の温度上昇を解析するようにしてもよい。つまり、判定部１０３は、制御部１０１が外気処理ユニット１ａを停止させる前の各吹出口２の温度と制御部１０１が外気処理ユニット１ａを停止させてから一定時間が経過した後の各吹出口２の温度とを比較するようにしてもよい。
【００５３】
また、本実施の形態では、外気処理ユニット１の冷房運転により吹出口２の温度低下を検知する例を説明した。これに代えて、外気処理ユニット１の暖房運転による吹出口２の温度上昇を検知するようにしてもよい。
【００５４】
実施の形態３．
本実施の形態では、主に実施の形態１との差異を説明する。
なお、以下で説明していない事項は、実施の形態１と同様である。
【００５５】
＊＊＊構成の説明＊＊＊
本実施の形態に係る空気調和システムは、図１及び図２に示したものと同じであるため、説明を省略する。なお、温度計測装置５は、各吹出口２の温度を計測することに加えて、室内空間２００内の人の位置を検知できるものとする。
また、本実施の形態に係る制御装置１００のハードウェア構成例は図３に示したものと同じであるため、説明を省略する。
【００５６】
図１０は、本実施の形態に係る制御装置１００の機能構成例を示す。
図１０では、図４に示す構成と比較して、エリア設定部１０５が追加されている。
エリア設定部１０５は、制御部１０１等と同様にプログラムで実現される。エリア設定部１０５の機能を実現するプログラムは、プロセッサ９０１により実行される。
エリア設定部１０５は、外気処理ユニット１ごとに、接続関係にある吹出口２の空気流の吹出先のエリアを設定する。
また、本実施の形態では、制御部１０１は、接続関係にある吹出口２の空気流の吹出先のエリアに空気調和の客体が存在しない外気処理ユニット１の運転状態を停止状態にする。空気調和の客体は、例えば、室内空間２００を利用する利用者である。
【００５７】
＊＊＊動作の説明＊＊＊
エリア設定部１０５は、吹出口２の位置（温度計測装置５から見た方向）と、室内空間２００のエリアとの対応付けを行う。
エリア設定部１０５の動作例を、図２の構成を用いて説明する。
ここでは、例えば実施の形態１に示す手順にて、外気処理ユニット１ａと吹出口２ａ、吹出口２ｂ及び吹出口２ｃとが接続関係にあり、外気処理ユニット１ｂと吹出口２ｄ、吹出口２ｅ及び吹出口２ｆとが接続関係にあることが判明しているものとする。
また、エリア設定部１０５は、各吹出口２の位置と温度計測装置５の位置とを把握しているものとする。
【００５８】
エリア設定部１０５は、図１１に示すように、温度計測装置５の位置から各吹出口２に第１のライン（図１１の破線）を設定する。そして、エリア設定部１０５は、隣り合う吹出口２に設定された２つの第１のラインの中心に第２のライン（図１１の一点鎖線）を設定する。そして、エリア設定部１０５は、第２のラインを境界とするエリアを室内空間２００内に設定する。
【００５９】
より具体的には、エリア設定部１０５は、吹出口２ａと温度計測装置５との第１のラインａ５と吹出口２ｂと温度計測装置５との第１のラインｂ５との中間に第２のラインａｂを設定する。
また、エリア設定部１０５は、吹出口２ａと温度計測装置５との第１のラインａ５と吹出口２ｄと温度計測装置５との第１のラインｄ５との中間に第２のラインａｄを設定する。
そして、エリア設定部１０５は、第２のラインａｂ及び第２のラインａｄに囲まれ、吹出口２ａを含むエリアを、エリアａに設定する。エリアａは、吹出口２ａの空気流の吹出先のエリアに該当する。
【００６０】
エリア設定部１０５は、以上の手順を全ての吹出口２に対して行うことで、図１２に示すように、吹出口２ごとにエリアを設定する。図１２の例では、エリア設定部１０５は、室内空間２００を６つのエリアに分割している。
そして、エリア設定部１０５は、吹出口２とエリアとの対応関係が示されるエリア情報を生成し、生成したエリア情報を主記憶装置９０２又は補助記憶装置９０３に格納する。
【００６１】
本実施の形態では、状態取得部１０２は、温度計測装置５から室内空間２００内の人の位置の検知結果を取得する。
そして、制御部１０１は、温度計測装置５により検知された人の位置に基づき、各エリアに人が所在するか否かを判定する。そして、人が所在しないエリアがある場合には、制御部１０１は、人が所在しないエリアに位置する吹出口２と接続されている外気処理ユニット１を停止させる。
図１２の例では、エリアａ、エリアｂ及びエリアｃのいずれにも人がいない場合は、制御部１０１は、吹出口２ａ、吹出口２ｂ及び吹出口２ｃと接続されている外気処理ユニット１ａを停止させる。また、例えば、エリアａには人がいないが、エリアｂ及びエリアｃには人がいる場合は、制御部１０１は、吹出口２ごとの個別制御が可能であれば、外気処理ユニット１ａの吹出口２ａへの送風を停止させる。
【００６２】
＊＊＊実施の形態の効果の説明＊＊＊
このように、本実施の形態では、エリアに空気調和の客体が存在しない場合は、対応する外気処理ユニット１を停止させることができる。このため、本実施の形態によれば、省エネルギー効果を得ることができる。
【００６３】
なお、以上では、図１１に示す方法で、エリアを設定する例を説明した。エリアの設定方法は、図１１に示す方法に限らない。
例えば、吹出口２の方向のみでなく、温度計測装置５から吹出口２までの距離を用いてエリアを設定するようにしてもよい。
【００６４】
なお、以上では、空気調和の客体として人である利用者を例にして説明を行った。空気調和の客体は人に限らず、動物又は物品であってもよい。
【００６５】
実施の形態４．
本実施の形態では、主に実施の形態３との差異を説明する。
なお、以下で説明していない事項は、実施の形態３と同様である。
【００６６】
＊＊＊構成の説明＊＊＊
本実施の形態では、図１３に示すように、複数の温度計測装置５が設置されている構成を想定する。
図１３では、室内空間２００に８つの吹出口２（吹出口２ａ〜２ｈ）と、２つの温度計測装置５（温度計測装置５ａと温度計測装置５ｂ）が設置されている。
本実施の形態では、吹出口２ａ〜２ｄは外気処理ユニット１ａに接続されており、吹出口２ｅ〜２ｈは外気処理ユニット１ｂに接続されているものとする。
なお、本実施の形態に係る制御装置１００のハードウェア構成例は図３に示したものと同じであるため、説明を省略する。また、本実施の形態に係る制御装置１００の機能構成例は図１０に示したものと同じであるため、説明を省略する。
【００６７】
＊＊＊動作の説明＊＊＊
図１３に示すように、本実施の形態では、温度計測装置５ａと温度計測装置５ｂが存在する。
温度計測装置５ａと各吹出口２との間にのみ第１のラインを設定して、実施の形態３に示した手順に従ってエリアを設定すると、図１４に示すようなエリアの設定となる。
本実施の形態では、エリア設定部１０５は、吹出口２ごとに、温度計測装置５ａとの距離及び温度計測装置５ｂとの距離を算出し、算出結果に基づき、エリアを設定する。
つまり、エリア設定部１０５は、吹出口２ａ、吹出口２ｂ、吹出口２ｅ及び吹出口２ｆでは、温度計測装置５ａとの距離の方が温度計測装置５ｂとの距離よりも短いと判定する。
このため、エリア設定部１０５は、吹出口２ａ、吹出口２ｂ、吹出口２ｅ及び吹出口２ｆについては、それぞれ、温度計測装置５ａとの間に第１のラインを設定し、実施の形態３に示した手順に従ってエリアを設定する。
一方、吹出口２ｃ、吹出口２ｄ、吹出口２ｇ及び吹出口２ｈでは、エリア設定部１０５は、温度計測装置５ｂとの距離の方が温度計測装置５ａとの距離よりも短いと判定する。
このため、エリア設定部１０５は、吹出口２ｃ、吹出口２ｄ、吹出口２ｇ及び吹出口２ｈについては、それぞれ、温度計測装置５ｂとの間に第１のラインを設定し、実施の形態３に示した手順に従ってエリアを設定する。
この結果、エリア設定部１０５は、図１３に示す構成に対して、図１５に示すエリアを設定する。
【００６８】
＊＊＊実施の形態の効果の説明＊＊＊
本実施の形態によれば、温度計測装置５が複数存在する場合でも、適切なエリアの設定ができる。つまり、本実施の形態によれば、図１５に示すようなエリアの設定が可能である。図１４の例では、各エリアの広さが均一ではないが、図１５の例では、各エリアの広さがほぼ均一であり、より効率的な空気流の制御を行うことができる。
【００６９】
以上、本発明の実施の形態について説明したが、これらの実施の形態のうち、２つ以上を組み合わせて実施しても構わない。
あるいは、これらの実施の形態のうち、１つを部分的に実施しても構わない。
あるいは、これらの実施の形態のうち、２つ以上を部分的に組み合わせて実施しても構わない。
なお、本発明は、これらの実施の形態に限定されるものではなく、必要に応じて種々の変更が可能である。
【００７０】
＊＊＊ハードウェア構成の説明＊＊＊
最後に、制御装置１００のハードウェア構成の補足説明を行う。
図３に示すプロセッサ９０１は、プロセッシングを行うＩＣ（Ｉｎｔｅｇｒａｔｅｄ  Ｃｉｒｃｕｉｔ）である。
プロセッサ９０１は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等である。
図３に示す主記憶装置９０２は、ＲＡＭ（Ｒａｎｄｏｍ  Ａｃｃｅｓｓ  Ｍｅｍｏｒｙ）である。
図３に示す補助記憶装置９０３は、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）等である。
図３に示す通信装置９０４は、データの通信処理を実行する電子回路である。
通信装置９０４は、例えば、通信チップ又はＮＩＣ（Ｎｅｔｗｏｒｋ  Ｉｎｔｅｒｆａｃｅ  Ｃａｒｄ）である。
【００７１】
また、補助記憶装置９０３には、ＯＳ（Ｏｐｅｒａｔｉｎｇ  Ｓｙｓｔｅｍ）も記憶されている。
そして、ＯＳの少なくとも一部がプロセッサ９０１により実行される。
プロセッサ９０１はＯＳの少なくとも一部を実行しながら、制御部１０１、状態取得部１０２、判定部１０３、出力部１０４及びエリア設定部１０５の機能を実現するプログラムを実行する。
プロセッサ９０１がＯＳを実行することで、タスク管理、メモリ管理、ファイル管理、通信制御等が行われる。
また、制御部１０１、状態取得部１０２、判定部１０３、出力部１０４及びエリア設定部１０５の処理の結果を示す情報、データ、信号値及び変数値の少なくともいずれかが、主記憶装置９０２、補助記憶装置９０３、プロセッサ９０１内のレジスタ及びキャッシュメモリの少なくともいずれかに記憶される。
また、制御部１０１、状態取得部１０２、判定部１０３、出力部１０４及びエリア設定部１０５の機能を実現するプログラムは、磁気ディスク、フレキシブルディスク、光ディスク、コンパクトディスク、ブルーレイ（登録商標）ディスク、ＤＶＤ等の可搬記録媒体に格納されていてもよい。そして、制御部１０１、状態取得部１０２、判定部１０３、出力部１０４及びエリア設定部１０５の機能を実現するプログラムが格納された可搬記録媒体を商業的に流通させてもよい。
【００７２】
また、制御部１０１、状態取得部１０２、判定部１０３、出力部１０４及びエリア設定部１０５の「部」を、「回路」又は「工程」又は「手順」又は「処理」に読み替えてもよい。
また、制御装置１００は、処理回路により実現されてもよい。処理回路は、例えば、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）である。
この場合は、制御部１０１、状態取得部１０２、判定部１０３、出力部１０４及びエリア設定部１０５は、それぞれ処理回路の一部として実現される。
なお、本明細書では、プロセッサと処理回路との上位概念を、「プロセッシングサーキットリー」という。
つまり、プロセッサと処理回路とは、それぞれ「プロセッシングサーキットリー」の具体例である。
【符号の説明】
【００７３】
１  外気処理ユニット、２  吹出口、３  吸込口、４  ダクト、５  温度計測装置、６  ダクト、１００  制御装置、１０１  制御部、１０２  状態取得部、１０３  判定部、１０４  出力部、１０５  エリア設定部、２００  室内空間、９０１  プロセッサ、９０２  主記憶装置、９０３  補助記憶装置、９０４  通信装置。
【図１】
2020240692.tif 000003
【図２】
2020240692.tif 000004
【図３】
2020240692.tif 000005
【図４】
2020240692.tif 000006
【図５】
2020240692.tif 000007
【図６】
2020240692.tif 000008
【図７】
2020240692.tif 000009
【図８】
2020240692.tif 000010
【図９】
2020240692.tif 000011
【図１０】
2020240692.tif 000012
【図１１】
2020240692.tif 000013
【図１２】
2020240692.tif 000014
【図１３】
2020240692.tif 000015
【図１４】
2020240692.tif 000016
【図１５】
2020240692.tif 000017
【国際調査報告】
2020240692.tif 000018
2020240692.tif 000019